(57)【要約】【課題】耐久寿命の末期まで、急激な摩擦抵抗の増加を発生しない低摩擦シートを備えて、摩擦抵抗の急激な増加に伴う様々な不都合を解消した画像加熱装置を提供する。【解決手段】加圧機構１００の加圧パッド２６における加圧ベルト２０対向面と分離ローラ２２対向面とを低摩擦シート２７で一体に覆う。低摩擦シート２７はエンボス型を用いて多数の凸部が密集形成されている。多数の凸部には、高さの中心値が１５０μＭの凸部と高さの中心値が１３０μＭの凸部とが千鳥配置されている。高さの中心値が１５０μＭの凸部のフッ素樹脂の表層が摩耗してポリイミドフィルムの基層が露出する前に高さの中心値が１３０μｍの凸部が加圧ベルト２０に接触し始める。【選択図】図４
2010164808.tif 000002
【特許請求の範囲】
【請求項１】
回転体と、
複数の支持回転体に掛け渡して支持され、前記回転体との間に記録材の加熱ニップを形成する無端状のベルト部材と、
前記ベルト部材の内側面を前記回転体に向かって面状に押圧する押圧部材と、
前記内側面に摺擦するように前記押圧部材に配置され、摺擦面に多数の凸部が成型された低摩擦シートと、を備えた画像加熱装置において、
前記低摩擦シートは、強度を担う基層の上に低摩擦を担う表層を形成した樹脂シート材料で形成され、高さの中心値が複数段階に異なる凸部を混在させて前記多数の凸部としていることを特徴とする画像加熱装置。
【請求項２】
前記低摩擦シートは、先端ほど断面積が小さくなる形状で高さの中心値を二段階に異ならせた凸部を成型されていることを特徴とする請求項１記載の画像加熱装置。
【請求項３】
前記凸部の高さの度数分布における２つのピークが同一高さ同一形状であることを特徴とする請求項２記載の画像加熱装置。
【請求項４】
前記２つのピークの最大度数に相当する前記凸部の高さの差は、前記表層の厚さよりも小さいことを特徴とする請求項３記載の画像加熱装置。
【請求項５】
回転駆動される前記回転体としての定着ローラと、
前記定着ローラに向かって付勢された前記支持回転体としての加圧ローラと、
前記加圧ローラを移動させて前記定着ローラから前記ベルト部材を離間させる接離機構と、を備え、
前記押圧部材は、前記ベルト部材と前記加圧ローラとの当接部に向かうように配置されて前記ベルト部材と前記加圧ローラとを押圧する弾性材料の加圧パッドを有し、
前記低摩擦シートは、前記加圧パッドが前記加圧ローラを押圧する面にも配置され、
前記ベルト部材は、前記接離機構によって前記定着ローラに圧接されることにより従動回転を開始することを特徴とする請求項１乃至４いずれか１項記載の画像加熱装置。
【請求項６】
前記低摩擦シートは、前記加圧パッドが前記加圧ローラを押圧する面と前記ベルト部材を押圧する面とを一体に覆って配置され、
前記ベルト部材と前記加圧ローラとの当接部に向かう前記低摩擦シートの二つ折りされた部分には前記凸部が配置されないことを特徴とする請求項５記載の画像加熱装置。
【請求項７】
第１高さの凸部を成型するための第１型を用いて基層の樹脂シート材料に凸部を成型する第１工程と、
第２高さの凸部を成型するための第２型を用いて、前記第１工程で形成された凸部と位置をずらせて凸部を成型する第２工程と、
前記第１高さ及び第２高さの凸部が形成された基層面にフッ素樹脂材料をコーティングして表層を形成する第３工程と、を有することを特徴とする低摩擦シートの製造方法。
【発明の詳細な説明】
【技術分野】
【０００１】
本発明は、回転体にベルト部材を圧接して記録材の加熱ニップを形成する画像加熱装置、詳しくはベルト部材の内側面を押圧する加圧パッドのベルト部材対向面に配置される低摩擦シートに関する。
【背景技術】
【０００２】
回転体（ローラ部材又はベルト部材）にベルト部材を圧接して、ローラ部材とローラ部材とを圧接する場合よりも搬送方向に長い加熱ニップを形成する画像加熱装置が広く用いられている。画像加熱装置は、トナー像を担持した記録材を加熱加圧してトナー像を記録材に定着させる定着装置と、半定着又は定着済み画像が形成された記録材を加熱加圧して画像面の光沢度を調整する光沢処理装置とを含む。
【０００３】
特許文献１には、一対の支持回転体（加圧ローラ、入口ローラ）に掛け渡したベルト部材と定着ローラとの間にトナー像の定着ニップが形成される定着装置が示される。ここでは、ベルト部材と加圧ローラの当接部に向かって突き出してベルト部材の内側面と加圧ローラとを押圧するように弾性材料の加圧パッドが配置され、加圧パッドの摺擦面が低摩擦シートに覆われている。
【０００４】
特許文献２には、樹脂シート材料をプレス成型してベルト部材との接触面に四角錐状の凸部を密に形成する方法が示される。
【０００５】
特許文献３には、プレス成型して四角錐状の凸部を形成したポリイミドシートの表面にフッ素樹脂材料をコーティングして低摩擦係数の表層を形成する方法が示される。
【０００６】
【特許文献１】特開平１０−３１９７７２号公報
【特許文献２】特開２００２−１４８９７０号公報
【特許文献３】特開２００４−３７５５２号公報
【発明の開示】
【発明が解決しようとする課題】
【０００７】
特許文献２、３に示されるように、プレス成型して四角錐状の凸部を形成したポリイミドシートの表面にフッ素樹脂材料をコーティングした低摩擦シートは、耐久寿命の途中で急激に摩擦抵抗が増大することが判明した（図１５参照）。
【０００８】
このため、特許文献１、２に示される定着ローラを回転駆動してベルト部材を従動回転させる定着装置で使用した場合、低摩擦シートがベルト部材の回転を妨げて正常な起動や記録材搬送ができなくなる。
【０００９】
そして、急激に摩擦抵抗が増大した低摩擦シートを顕微鏡観察したところ、凸部の先端部分でフッ素樹脂材料が摩耗して消滅し、ポリイミドシートの基層がベルト部材の内側面に直接摺擦する状況となっていた。
【００１０】
本発明は、耐久寿命の末期まで、急激な摩擦抵抗の増加を発生しない低摩擦シートを備えて、摩擦抵抗の急激な増加に伴う様々な不都合を解消した画像加熱装置を提供することを目的としている。
【課題を解決するための手段】
【００１１】
本発明の画像加熱装置は、回転体と、複数の支持回転体に掛け渡して支持され、前記回転体との間に記録材の加熱ニップを形成する無端状のベルト部材と、前記ベルト部材の内側面を前記回転体に向かって面状に押圧する押圧部材と、前記内側面に摺擦するように前記押圧部材に配置され、摺擦面に多数の凸部が成型された低摩擦シートとを備えたものである。そして、前記低摩擦シートは、強度を担う基層の上に低摩擦を担う表層を形成した樹脂シート材料で形成され、高さの中心値が複数段階に異なる凸部を混在させて前記多数の凸部としている。
【発明の効果】
【００１２】
本発明の画像加熱装置では、高さの中心値が高い順番で凸部の表層が摩耗するため、耐久寿命の途中で多数の凸部が一斉に表層を喪失して摩擦係数の高い基層でベルト部材の内側面を摺擦し始めることが無い。
【００１３】
従って、耐久寿命の末期まで、低摩擦シートの急激な摩擦抵抗の増加が発生せず、摩擦抵抗の急激な増加に伴う、例えばジャム、起動障害、搬送不良に伴う画像不良と言った様々な不都合が解消される。
【発明を実施するための最良の形態】
【００１４】
以下、本発明のいくつかの実施形態を、図面を参照して詳細に説明する。本発明は、押圧部材のベルト部材対向面に配置された低摩擦シートに高さの異なる凸部が混在している限りにおいて、各実施形態の構成の一部または全部を、その代替的な構成で置き換えた別の実施形態でも実施できる。
【００１５】
実施形態の定着装置は、図１のモノクロ画像形成装置のみならず、各色トナー像を重ね合わせるフルカラー画像形成装置にも搭載でき、直接転写方式のみならず中間転写方式でも実施できる。
【００１６】
本発明は、図１の定着装置のみならず、トナー像が一度定着された記録材を加熱加圧して所定の表面光沢度に仕上げる加熱仕上げ装置等でも実施できる。
【００１７】
なお、特許文献１〜３に示される画像形成装置、定着装置に関する一般的な事項については、図示を省略して重複する説明を省略する。
【００１８】
＜画像形成装置＞
図１は画像形成装置の構成の説明図である。
【００１９】
図１に示すように、画像形成装置１２０は、感光ドラム１２１にトナー像を形成して記録材Ｐに転写した後に、記録材Ｐを定着装置１へ送り込んで加熱・加圧することにより、記録材Ｐの表面にトナー像を定着させる。
【００２０】
感光ドラム１２１を囲んで、帯電ローラ１２２、露光装置１２３、現像装置１２４、転写ローラ１２５、クリーニング装置１２６が配設されている。
【００２１】
帯電ローラ１２２は、不図示の帯電電源から負極性の直流電圧に交流電圧を重畳した帯電電圧を印加されて、感光体ドラム１２１の表面を一様な負極性の電位に帯電させる。
【００２２】
露光装置１２３は、画像データを展開した画像信号に応じてＯＮ−ＯＦＦ変調されたレーザービームを走査して、感光ドラム１２１の表面に画像の静電像を書き込む。
【００２３】
現像装置１２４は、負極性に帯電させたトナーを感光ドラム１２１に供給して静電像の露光部に付着させることにより、静電像をトナー像に反転現像する。
【００２４】
記録材Ｐは、記録材カセット１３３から分離ローラ１３２を用いて１枚ずつ取り出されてレジストローラ１３５で待機し、レジストローラ１３５によって、感光ドラム１２１と転写ローラ１２５の転写ニップＴ１へ給送される。そして、感光ドラム１２１に担持されたトナー像に重ねて転写ニップＴ１を挟持搬送される過程で、不図示の転写電源から転写ローラ１２５に正極性の電圧が印加されることにより、感光ドラム１２１から記録材Ｐへトナー像が転写される。
【００２５】
クリーニング装置１２６は、感光ドラム１２１にクリーニングブレード１２７を摺擦させて、トナー像転写後の感光ドラム１２１に残留した転写残トナーを除去する。
【００２６】
一方、トナー像が転写された記録材Ｐは、定着装置１へ受け渡されて、定着ニップＮを加熱・加圧状態で挟持搬送されることにより、粉体状のトナー像が融解加圧され、永久画像として記録材Ｐの表面に定着される。その後、表面にトナー像が定着された記録材Ｐは、排出ローラ１３６を通じて筐体外部に排出される。
【００２７】
＜画像加熱装置＞
図２は定着装置の構成の説明図、図３は加圧ベルトの加圧機構の説明図、図４は加圧機構周辺の拡大図である。
【００２８】
図２に示すように、定着装置１は、回転自在に配設された定着ローラ１０に加圧ベルト２０を圧接して記録材の定着ニップＷを形成する。定着ローラ１０の内部には、ハロゲンランプヒータ１１３が配設されている。
【００２９】
定着ローラ１０には、サーミスタ１１４が接触状態で配設される。温度調整回路１１５は、サーミスタ１１４の出力に応じてハロゲンランプヒータ１１３への印加電圧を調整することによって定着ローラ１０の温度調節を行っている。
【００３０】
ベルトユニット２は、可撓性のエンドレスベルトである加圧ベルト２０を、支持回転体の一例である入口ローラ２１、分離ローラ２２、及びテンションローラ２３に掛け渡して支持する。入口ローラ２１と分離ローラ２２との間隔で、加圧ベルト２０は、内側から加圧機構１００によって定着ローラ１０に押し付けられている。
【００３１】
分離ローラ２２と加圧機構１００とが加圧ベルト２０を介して定着ローラ１０に向かって圧接されることで、定着ローラ１０と加圧ベルト２０との接触部である定着ニップＷが加圧ベルト２０の回転方向に連続して長く形成される。
【００３２】
定着ローラ１０は、芯金１０ａ上に、弾性材料としてシリコンゴムを用いた弾性層１０ｂが配置され、弾性層１０ｂの上に、フッ素樹脂材料チューブの離形層１０ｃが配置されて、外径がφ４０ｍｍである。
【００３３】
加圧ベルト２０は、厚み１００μｍのポリイミド樹脂の基層を有するシームレスの無端ベルトに形成されている。加圧ベルト２０の基層上には厚さ０．２ｍｍのシリコンゴム層が被覆されている。
【００３４】
加圧ベルト２０は、モータ１０９によって回転駆動される定着ローラ１０に圧接して従動回転する。入口ローラ２１、分離ローラ２２、テンションローラ２３は、加圧ベルト２０の回転に伴って従動回転する。
【００３５】
ただし、分離ローラ２２は、ワンウエイクラッチを介してモータ１０９のギア列から駆動されることによって、加圧ベルト２０の回転速度よりも低い回転速度で回転するようにギア比を設定されている。このため、定着ローラ１０からベルトユニット２を退避させた状態でモータ１０９を作動させると、加圧ベルト２０は、定着ローラ１０よりも低い周速度で回転する。
【００３６】
入口ローラ２１の中心には、加圧ベルト２０を加熱するためのハロゲンランプヒータ１１６が配置されている。テンションローラ２３は、加圧ベルト２０に所定の張力を与えるように外側へ向かってバネ付勢されている。分離ローラ２２は、加熱ニップの一例である定着ニップＷの最下流位置で加圧ベルト２０の内側面を定着ローラ１０に向かって押圧する。
【００３７】
入口ローラ２１と分離ローラ２２との間には、加圧ベルト２０の内側面を定着ローラ１０に向かって面状に押圧して定着ニップＷを形成する加圧機構１００が配置されている。入口ローラ２１と加圧機構１００との間には、シリコンオイルを含浸させたフェルト材料で形成されたオイル塗布ローラ２８が設けられる。オイル塗布ローラ２８は、加圧ベルト２０の内側面に圧接して従動回転しつつ、潤滑材としてのシリコンオイルを加圧ベルト２０の内側面に一定量塗布する。これにより、加圧機構１００の表面に配置された低摩擦シート２７が摺擦する際の摩擦力を低減し、低摩擦シート２７の耐久性を向上させている。
【００３８】
＜接離機構＞
図３に示すように、定着装置１は、接離機構（６１）によって、ベルトユニット２の全体を昇降させて、定着ローラ１０に対して加圧ベルト２０を圧接及び離間させることにより、定着ニップＷの形成及び解除が可能である。図３中、（ａ）は、定着ローラ１０に加圧ベルト２０が加圧されている状態を示し、（ｂ）は、定着ローラ１０から加圧ベルト２０が離間されている状態を示す。
【００３９】
図３の（ａ）に示すように、モータ１０８に駆動されて加圧カム６１が回動軸６０を中心に回転し、加圧カム６１の長径が頂上に位置する状態にすると、受部５９が上方に押し上げられる。これにより、回動軸５４を中心にして加圧ホルダ５３が矢印Ｖ方向に回転し、加圧ホルダ５３に一端が固定されたローラ加圧バネ５７を介して分離ローラ２２が定着ローラ１０に加圧力ＳＦで加圧される。同時に、加圧ホルダ５３に一端が固定されたパッド加圧バネ５８を介してパッド加圧ホルダ５２が回動軸５４を中心に回動し、パッド加圧ホルダ５２に固定された加圧機構１００が定着ローラ１０に加圧力ＰＦで加圧される。
【００４０】
この状態で矢印Ｇ方向に定着ローラ１０を回転させると、定着ベルト２０が定着ローラ１０に従動回転して矢印Ｇ方向に回転し、定着ベルト２０に従動回転して分離ローラ２２も矢印Ｇ方向に回転する。
【００４１】
その後、記録材が矢印Ｈ方向から搬送されて定着ローラ１０と定着ベルト２０の定着ニップＷに狭持される。記録材に担持されたトナー像は、定着ローラ１０及び加圧ベルト２０の熱で溶融され、加圧機構１００の圧で記録材に押し付けられて定着する。このとき、オイル塗布ローラ２８は加圧ベルト２０の内面と接触状態になっている。
【００４２】
図３の（ｂ）に示すように、モータ１０８に駆動されて加圧カム６１が回動軸６０を中心に回転し、加圧カム６１の短径が頂上に位置する状態にすると、受部５９が下方に下げられる。これにより、回動軸５４を中心にして加圧ホルダ５３が矢印Ｗ方向に回転してローラ加圧バネ５７の付勢力が付加されなくなり、ローラ加圧ホルダ５１が回動軸５４を中心に回動して分離ローラ２２が定着ローラ１０から離間する。同時に、パッド加圧バネ５８の付勢力が付加されなくなり、パッド加圧ホルダ７５２が回動軸５４を中心に回動して加圧機構１００が定着ローラ１０から離間する。このとき、オイル塗布ローラ２８は加圧ベルト２０の内面と非接触状態になっている。
【００４３】
図４に示すように、分離ローラ２２は、加圧ベルト２０を介して定着ローラ１０に向けて加圧されているため、定着ローラ１０の弾性層１０ｂは、分離ローラ２２の円筒面の形に変形して、弾性層１０ｂの円弧形状が反対方向になる。分離ローラ２２は、ローラ加圧バネ（５７：図３）によって、定着ローラ１０の回転軸に向かって加圧されて、定着ローラ１０の弾性層１０ｂに加圧ベルト２０を食い込ませる。その結果、定着ローラ１０の弾性層１０ｂが加圧変形されている部分の最下流に、記録材を定着ローラ１０の表面から効率的に曲率分離させる、小さな曲率半径の分離面が形成される。
【００４４】
記録材上のトナー像は、定着装置の定着ニップＷで溶融、加圧されるため、トナーと定着ローラ１０は貼り付く傾向となる。しかし、定着ローラ１０の弾性層１０ｂの円弧形状が分離ローラ２２によって反対方向になっているため、定着ローラ１０に貼り付いた記録材は、加圧ベルト２０側へ突き出すように剥離されて矢印Ｙ方向に排出される。
【００４５】
＜加圧機構＞
図５は定着ニップの記録材搬送方向における圧力分布の説明図、図６は定着装置の起動時の温度推移の説明図である。
【００４６】
図４に示すように、加圧機構１００は、ステンレスで形成された加圧ベース２５の上にシリコンゴムで形成された加圧パッド２６を固定してある。加圧パッド２６は、ゴム硬度Ｈｓが３０°のシリコンゴムからなり、加圧ベルト２０の移動方向に向かって徐々に厚みが拡大するように成形されている。加圧パッド２６の表面は、加圧ベルト２０との摺動抵抗を低減するため、低摩擦シート２７で被覆されている。
【００４７】
加圧ベルト２０と定着ローラ１０とは、加圧パッド２６から分離ローラ２２までの長い定着ニップＷを形成している。これにより、従来の定着ローラに加圧ローラを圧接させたローラ定着装置よりも長い定着ニップが得られるため、記録材上のトナー像を短時間で良好に溶融することが可能になる。従って、フルカラープリンタのような多量のトナーを使用する画像形成装置にも適している。
【００４８】
本実施形態では、加圧機構１００に総圧５５８Ｎ（６０ｋｇｆ）の加圧を行わせ、分離ローラ２２に総圧３９２Ｎ（４０ｋｇｆ）の加圧を行わせることで、総圧９８０Ｎ（１００ｋｇｆ）の定着ニップＷを構成した。
【００４９】
図４を参照して図５に示すように、定着ニップＷにおける加圧機構１００による上流側のピーク圧は、分離ローラ２２による下流側のピーク圧よりも低くなるように設定されている。
【００５０】
柔軟なシリコンゴムで形成された加圧パッド２６は、低摩擦シート２７を介して分離ローラ２２と定着ローラ１０とに押圧されて弾性変形する。加圧パッド２６は、低摩擦シート２７とともに、加圧パッド２６と加圧ベルト２０と分離ローラ２２との間に形成される隙間を埋め合わせて、加圧ベルト２０に対する押圧力を確保する。これにより、定着ニップＷにおける加圧ベルト２０の回転方向における局所的なニップ圧の落ち込みを減少させている。
【００５１】
加圧パッド２６の端部には、加圧パッド２６と一体構成にして金属ワイヤ２６ａが設けられている。金属ワイヤ２６ａによっても、定着ニップＷにおける加圧ベルト２０の回転方向における局所的なニップ圧の落ち込みを減少させている。
【００５２】
図６は、定着装置１が室温からスタンバイ状態まで起動される過程における定着ローラ１０及び加圧ベルト２０の温度推移を示している。
【００５３】
図２を参照して図６に示すように、定着装置１を立ち上げる温度制御に伴って、内部に熱源を有する定着ローラ１０に対して、定着ベルト２０を含むベルトユニット２が当接−退避−当接と切り替えられる。
【００５４】
制御部１１０は、定着装置１が起動されると（ｓｔｅｐ１：図６、以下同じ）、定着ローラ１０と加圧ベルト２０とを回転しない状態で当接状態にして、定着ローラ１０の内部のハロゲンランプヒータ１１３に対する通電を開始する。
【００５５】
制御部１１０は、定着ローラ１０の表面温度が８０℃に達すると、定着ローラ１０の回転を開始させる（ｓｔｅｐ２）。すると、加圧ベルト２０が従動回転して定着ローラ１０から加圧ベルト２０の一周全体に熱を供給するので、定着ローラ１０の表面温度が一次的に低下する。
【００５６】
制御部１１０は、次に、定着ローラ１０の表面温度が１１０℃に達すると、ベルトユニット２を退避状態にして定着ローラ１０から加圧ベルト２０を離間させる（ｓｔｅｐ３）。従動回転が解除されても、上述した分離ローラ２２のワンウエイクラッチ機構によって加圧ベルト２０は回転し続ける。
【００５７】
定着ローラ１０は、内部のハロゲンランプヒータ１１３からの熱供給によって、表面温度が１７０±２℃になるように温度制御される（ｓｔｅｐ４）。ベルトユニット２は、加圧ベルト２０が回転し続けている状態で入口ローラ２１の内部のハロゲンランプヒータ１１６によって、加圧ベルト２０の表面温度が１２０℃になるように温度制御される。
【００５８】
定着ローラ１０及び加圧ベルト２０が設定温度に達すると（ｓｔｅｐ４）、立ち上げ完了となり、いつでもプリントジョブを開始できるスタンバイ状態に移行する。
【００５９】
制御部１１０は、スタンバイ状態でプリントジョブ信号を受け付けると、トナー像を形成する動作を開始する。制御部１１０は、離間状態でそれぞれ回転している定着ローラ１０及びベルトユニット２を当接状態にして、未定着トナー像を転写した記録材を定着ニップＷへ送り込んで定着動作を終了させる。
【００６０】
制御部１１０は、定着動作が終了すると、定着ローラ１０からベルトユニット２を退避させて、スタンバイ状態に復帰させる。
【００６１】
図２に示すように、画像形成装置の高速化に対応するために、定着装置１においても、定着ローラの回転速度を上げたり、加圧力を上げたりする必要が出てきている。同時に、さらなる長寿命化への要望も強まっている。
【００６２】
ところが、定着装置１において加圧力を上げると、加圧パッド２６と加圧ベルト２０との間の摩擦抵抗を低減するために配置されている低摩擦シート２７の摩耗が激しくなり、耐久性を満たさなくなってしまう。また、同程度の加圧力であったとしても、定着ローラ１０の回転速度を上げた場合、やはり低摩擦シート２７の摩耗が早まることになる。
【００６３】
ガラス繊維製のシートの表面に数１０μｍの厚さでフッ素樹脂をコーディングした従来の低摩擦シート２７の場合、加圧力が高くなってくると、表面のコーティング層がはがれてしまう。その結果、硬いガラス繊維面と加圧ベルト２０が直接接触するようになり、急激に接触抵抗が上昇して加圧ベルト２０の走行が不安定になる。その結果、像ズレ等の画像欠陥や、スリップ等の搬送障害が弊害として発生する。
【００６４】
＜低摩擦シート＞
図７は低摩擦シートの構成の説明図である。
【００６５】
図４を参照して図７に示すように、低摩擦シート２７は、３つの折り山を形成して加圧ベルト２０の内側面を押圧する加圧パッド２６の外周面を覆うように配置される。低摩擦シート２７の両端は、配列した取り付け孔２７ａにネジ２５ａを挿入して加圧ベース２５に固定される。
【００６６】
低摩擦シート２７は、強度を担う基層の上に低摩擦を担う表層を形成した幅４００ｍｍ、長さ４０ｍｍ、厚さ１００μｍの樹脂シート材料で形成される。低摩擦シート２７は、押圧部材の一例である加圧パッド２６の加圧ベルト２０対向面と分離ローラ２２対向面とを一体に覆って配置される。低摩擦シート２７の加圧ベルト摺擦領域２７ｂと分離ローラ摺擦領域２７ｃには、摺擦面積を減らして静止摩擦及び動摩擦を軽減するために、四角錐型の多数の凸部が成型されている。
【００６７】
図３の（ｂ）に示すように、定着ローラ１０からベルトユニット２を退避させた状態では、低摩擦シート２７は、加圧ベルト摺擦領域２７ｂが加圧ベルト２０に接触しない状態に維持される。
【００６８】
図３の（ａ）に示すように、定着ローラ１０にベルトユニット２を圧接させた状態では、加圧ベルト摺擦領域２７ｂが加圧ベルト２０の内側面に強く押し付けられる。このとき、低摩擦シート２７は、加圧ベルト２０の内側面と加圧パッド２６の摺動抵抗を軽減しており、定着ニップＷが形成されて加圧ベルト２０が回転している場合に効果を発揮する。
【００６９】
図４に示すように、低摩擦シート２７とは別に、加圧ベルト２０の内側面にシリコンオイルを塗布することによって、摺動抵抗をさらに軽減している。ただし、シリコンオイルは、定着装置の初期状態から十分に塗布されているものではない。定着装置が立ち上がった後に、ベルトユニット２からはみ出さない程度の量の塗布を初期に行い、続いてオイル塗布ローラ２８からの継続的な塗布によって加圧ベルト２０の内側面に十分に塗布される。
【００７０】
以上より、低摩擦シート２７が作用するのは、定着装置の起動過程及び定着動作時である。両者において、加圧ベルト２０と加圧パッド２６の摺動抵抗を減らしながら、弊害を伴わないこと、及び長時間にわたって使用することが要求される。特に立ち上げ過程においては、初期の加圧ベルト２０の内側面にシリコンオイルが十分に行き渡っていない場合においても、低摩擦シート２７の作用が要求される。
【００７１】
以下の実施例では、定着装置の初期及びそれ以降の立ち上げ過程及び定着動作時の両状態において、低摩擦シート２７が加圧ベルト２０と加圧パッド２６との摺動抵抗を減らす。そして、摩耗に伴う摺動抵抗の急激な増加を伴わない、長時間にわたって使用可能な低摩擦シート２７の構成を説明する。
【００７２】
＜実施例１＞
図８は実施例１の低摩擦シートの凸部の配置の説明図、図９は凸部の高さ分布の説明図、図１０は凸部の構成の説明図、図１１は低摩擦シートの製造方法の説明図である。
【００７３】
図４に示すように、低摩擦シート２７は、加圧パッド２６が加圧ローラ（２２）を押圧する面とベルト部材（２０）を押圧する面とを一体に覆って配置される。
【００７４】
図７に示すように、ベルト部材（２０）と加圧ローラ（２２）との当接部に向かう低摩擦シート２７の二つ折りされた部分には凸部（２７Ｈ、２７Ｌ：図８）が配置されない。
【００７５】
図８に示すように、実施例１の低摩擦シート２７には、高さの中心値が複数段階に異なる凸部を混在させて多数の凸部を構成している。具体的には、高さの中心値が１５０μｍ（第１高さ）の凸部２７Ｈと高さの中心値が１３０μｍの凸部２７Ｌとが摺擦方向に対して４５度の傾きでそれぞれ配列している。凸部２７Ｈと凸部２７Ｈとの配置関係は千鳥配置になっていて、凸部２７Ｌは、進行方向及び長手方向から見て間になるように、凸部２７Ｈの対角線上の中間位置に配置される。凸部２７Ｈの中心位置で見たピッチ間隔は、進行方向及び長手方向ともに２ｍｍとし、凸部２７Ｈ、２７Ｌの大きさは、いずれも５００μｍ四方とした。
【００７６】
なお、高さの中心値とは、摺擦・摩耗する領域にある多数の凸部の未使用状態におけるそれぞれの高さを測定したとき、高さ範囲の連続的な刻みごとの凸部の個数で高さ分布を定義し、その高さ分布のピーク位置に相当する凸部の高さである。
【００７７】
図９に示すように、多数の凸部２７Ｈ、２７Ｌの高さの度数分布における２つのピークが同一高さ同一形状である。凸部２７Ｈ、２７Ｌの高さは、超深度形状測定顕微鏡ＶＫ８５００（キーエンス社製）にて測定した。測定範囲は、２０ｍｍ×５０ｍｍ四方で、その中での凹凸高さ情報の度数分布を算出した。
【００７８】
低摩擦シート２７は、凸部２７Ｈ、２７Ｌの高さの度数分布は、高い側と低い側で２つのピークを持つ。高さの度数分布における高い側のピークの中心値Ｈ１が１５０μｍ、低い側のピークの中心値Ｈ２が１３０μｍである。２つのピークの最大度数に相当する凸部の高さの差２０μｍは、表層（２７ｆ：図１０）の厚さ３０μｍよりも小さい。
【００７９】
なお、凸部２７Ｈ、２７Ｌは、後述するエンボス加工によって成型されていて、高さは、エンボス加工が施されていない平坦部から、凸部２７Ｈ、２７Ｌの先端までの高低差の測定値である。
【００８０】
高さの度数分布は、高い側の中心値Ｈ１と、低い側の中心値Ｈ２の２つのピークを持つが、このとき（Ｈ１＋Ｈ２）／２の高さの度数分布は、母数全体の１０％以下であることが望ましい。母数全体の０％であればさらに好ましい。（Ｈ１＋Ｈ２）／２の高さの度数分布が低いほど、凸部２７Ｈの摩耗に伴う凸部２７Ｌの摺擦開始時期が揃って実施例の効果が顕著になるからである。
【００８１】
これに対して、（Ｈ１＋Ｈ２）／２の高さの度数分布が高い場合は、凸部２７Ｈ、２７Ｌの高さがそれぞれ大きくばらついている。このため、それぞれの凸部２７Ｈ、２７Ｌにおける接触面積の増加率、あるいは、摺動抵抗の増加率がばらついて、実施例の効果がばらついてしまう。
【００８２】
第１高さの凸部２７Ｈの度数分布におけるピーク半値幅は０．１×Ｈ１以下であることが好ましい。同様に、第２高さの凸部２７Ｌの度数分布におけるピーク半値幅は０．１×Ｈ２以下であることが望ましい。ピーク半値幅が大きい場合は、（Ｈ１＋Ｈ２）／２の高さの度数分布が高い場合と同様に、実施例の効果がばらつくためである。
【００８３】
図１０に示すように、低摩擦シート２７は、強度を担う基層２７ｅの上に低摩擦を担う表層２７ｆを形成した樹脂シート材料である。耐熱性および耐摩耗性を有する厚さ１００μｍのポリイミドフィルムを基層２７ｅとし、低摺動性を有するフッ素樹脂材料を厚さ３０μｍにコーティングして表層２７ｆとした。
【００８４】
基層２７ｅを形成する材料は、耐熱性、耐摩耗性を有する材料が好ましく、ポリベンズイミダゾール（ＰＢＩ）、ポリベンズオキサゾール（ＰＢＯ）等も利用できる。表層２７ｆを形成する材料は、耐熱性、低摺動性を有するポリエーテルエーテルケトン（Ｐｅｅｋ）等も利用できる。
【００８５】
凸部２７Ｈ、２７Ｌは、先端ほど断面積が小さくなる四角錐の形状で高さの中心値を二段階に異ならせた凸部を成型されている。凸部２７Ｈと凸部２７Ｌとの高さの差は、表層（２７ｆ）の厚さよりも小さい。凸部２７Ｈ、２７Ｌは、シート材料の表面にエンボス加工を施すことによって形成される。所定の大きさの凹凸を有するエンボス加工用のエンボス型を用いて、加圧エンボス加工を施すことにより、低摩擦シート２７の表面に凹凸を形成する。
【００８６】
凸部２７Ｈ、２７Ｌの高さの差は、高さの異なる二種類のエンボス型を用いて成型することで設定される。しかし、同一のエンボス型で２回の成型を行い、各回の成型における加圧力を二種類に異ならせたり、加圧時間を二種類に異ならせたりしても設定可能である。
【００８７】
図１１の（ａ）に示すように、第１工程では、第１高さの凸部を成型するための第１型Ｅ１を用いて基層（２７ｆ）の樹脂シート材料に凸部を成型する。
【００８８】
図１１の（ｂ）に示すように、第２工程では、第２高さの凸部を成型するための第２型Ｅ２を用いて、第１工程で形成された凸部２９Ｈと位置をずらせて凸部を成型する。
【００８９】
図１１の（ｃ）に示すように、第３工程では、第１高さ及び第２高さの凸部２７Ｈ、２７Ｌが形成された基層面にフッ素樹（ＰＴＦＥ）をスプレーコーティングして表層２７ｆを形成する。その後、熱処理を行って、表層２７ｆを基層２７ｅに対して強固に接合する。
【００９０】
実施例１では、低摩擦シート２７と加圧ベルト２０の摺動抵抗を低くするために、図１０に示すように、低摩擦シート２７にフッ素樹脂材料の表層２７ｆを設けている。表層２７ｆの厚みをＤとしたとき、中心値Ｈ１、Ｈ２と厚みＤの関係は以下であることが望ましい。
Ｈ２＞Ｈ１−Ｄ
【００９１】
第１高さの凸部２７Ｈのコーティング層が摩耗消滅する前に、第２高さの凸部２７Ｌが加圧ベルト２０の内側面に接触するので、実施例１の効果を発揮できるからである。
【００９２】
実施例１では、凸部２７Ｈ、２７Ｌを以下のように形成した。
Ｈ１＝１５０μｍ
Ｈ２＝１３０μｍ
Ｄ＝３０μｍ
（（Ｈ１+Ｈ２）／２の度数）＝母数の５％
第１高さの凸部２７Ｈのピーク半値幅＝１０μｍ
第２高さの凸部２７Ｌのピーク半値幅＝１０μｍ
【００９３】
実施例１は、このように凸部２７Ｈ、２７Ｌを形成することで、定着装置１の立ち上げ過程及び定着動作時の両状態において、低摩擦シート２７が加圧ベルト２０と加圧パッド２６との摺動抵抗を減らす。低摩擦シート２７の摩耗による弊害を伴わない、長時間にわたって使用することが可能な定着装置１を実現できた。
【００９４】
なお、実施例１では、図８に示す配置による効果を示すが、配置の仕方は図８に示す配置には限定されない。実施例１では、第２高さの凸部２７Ｌは、第１高さの凸部２７Ｈの対角線上の中間位置に配置されているので、加圧ベルト２０との接触安定性から最も好ましい。しかし、凸部２７Ｌの配置は、凸部２７Ｈの対角線上の中間位置のみには限定されず、凸部２７Ｈの間であれば、定着装置１の立ち上げ過程及び定着動作時の両状態において必要な効果が得られる。
【００９５】
また、実施例１では、低摩擦シート２７は、摩耗初期の定着装置１の立ち上げ過程で、相対的に高い第１高さの凸部２７Ｈのみに加圧ベルト２０が接触するものとして説明した。しかし、加圧ベルト２０の厚みや加圧力等の条件によっては、定着装置１の初期立ち上げ時において、第２高さの凸部２７Ｌにも接触する場合がある。しかし、このとき、凸部２７Ｌでは、凸部２７Ｈに比較して十分に負荷が低いため、実施例１の効果が十分発揮される。
【００９６】
＜比較例１＞
図１２は比較例１の低摩擦シートにおける凸部の配置の説明図である。
【００９７】
図１２に示すように、比較例１の低摩擦シート２７Ｘの材料、コーティング仕様、形成方法等は、実施例１と同様である。
【００９８】
比較例１の低摩擦シート２７Ｘの表面に形成された多数の凸部は、１種類の高さ１５０μｍの凸部２７Ｈでのみ構成される。そして、凸部２７Ｈの中心位置のピッチ間隔は、進行方向及び長手方向ともに２ｍｍであり、凸部２７Ｈの大きさは５００μｍ四方である。
【００９９】
比較例１の低摩擦シート２７Ｘを用いると、定着装置の立ち上げ過程及び定着動作時において、加圧ベルト２０と加圧パッド２６との摺動抵抗を減らすことが可能だが、実施例１の低摩擦シート２７よりも短い時間しか使用できない。
【０１００】
＜比較例２＞
図１３は比較例２の低摩擦シートにおける凸部の配置の説明図である。
【０１０１】
図１３に示すように、比較例２の低摩擦シート２７Ｙの材料、コーティング仕様、形成方法等は、実施例１と同様である。
【０１０２】
比較例２の低摩擦シート２７Ｙの表面に形成された多数の凸部は、１種類の高さ１５０μｍの凸部２７Ｈでのみ構成され、凸部２７Ｈの配置の仕方は、実施例１の凸部２７Ｈ、２７Ｌと同様である。すなわち、等しい高さの凸部２７Ｈ、２７Ｌが、凸部２７Ｈの対角線上の中間位置に凸部２７Ｌを配置するように配列されている。
【０１０３】
比較例２の低摩擦シート２７Ｙを用いると、加圧ベルト２０と加圧パッド２６の定着動作時の摺動抵抗を減らすことが可能で、長時間使用可能である。しかし、定着装置１の立ち上げ過程において、回転トルクが大きくなってしまう。
【０１０４】
低摩擦シート２７Ｙの凸部を多くして、接触面積を増やすことによって、耐久性を確保することができる。接触面積が増えたことによって、凸部の１つ当たりの負荷が軽減して耐久性が向上する。しかし、同時に、低摩擦シート２７Ｙと加圧ベルト２０との摺動抵抗が増えて、加圧ベルト２０が定着ローラ１０に対してスリップして画像障害を引き起し易くなる。特に、低温環境での起動時には、加圧ベルト２０の内側面に塗布したシリコンオイルの粘性が下がって摺動抵抗が増大してスリップが発生する。
【０１０５】
初期状態の定着装置１の立ち上げ時には、シリコンオイルが加圧ベルト２０の内側面の全領域に十分に行き渡っていないため、加圧ベルト２０のの摺動抵抗が増加して搬送障害を引き起こしてしまう。
【０１０６】
＜実施例１と比較例１、２との性能比較＞
図１４は定着装置の立ち上げ過程における回転トルクの比較の説明図、図１５は耐久寿命における立ち上げ過程の回転トルクの変化の説明図である。
【０１０７】
実施例１、比較例１、比較例２の低摩擦シート２７、２７Ｘ、２７Ｙを、図１に示す定着装置１で用いたときの検証結果を説明する。
【０１０８】
図２に示すように、低摩擦シート２７（２７Ｘ、２７Ｙ）を用いて定着装置１の初期の立ち上げ時の駆動トルク測定、及びそのときの加圧ベルト２０の走行性について検証した。また、定着装置１を長期間回転させて低摩擦シート２７（２７Ｘ、２７Ｙ）に摩耗を進行させて、定着装置１の立ち上げ時における定着ローラ１０の駆動トルクの推移、及び、そのときの加圧ベルト２０の走行性について検証した。
【０１０９】
図１４に示すように、新品状態で比較すると、実施例１の低摩擦シート２７及び比較例１の低摩擦シート２７Ｘは、比較例２の低摩擦シート２７Ｙに比較して定着装置１の立ち上げ時（初期）の駆動トルクが少ない。比較例２の低摩擦シート２７Ｙは、加圧ベルト２０に対する摺動抵抗が大きいため、定着ローラ１０の回転に必要な駆動トルクが高くなり、ベルトの走行性が不安定になる。あるいは、シリコンオイルの潤滑性を期待できない極低温環境での起動時に、定着ローラ１０の回転がロックして起動できなくなる現象が発生する。
【０１１０】
図１５に示すように、新品状態では実施例１の低摩擦シート２７並みに立ち上げ時の駆動トルクが少なくて済んだ比較例１の低摩擦シート２７Ｘは、耐久寿命の途中で急に定着運転中の駆動トルクが増大する。駆動トルクが突然増大した以降においては、比較例１の低摩擦シート２７Ｘは、定着装置１の起動時に、定着ローラ１０の回転がロックして起動できなくなる現象が発生する。
【０１１１】
図３の（ｂ）に示すように、定着装置１の立ち上げ時、定着ローラ１０とベルトユニット２は、回転しない状態で当接状態に移行するため、図１４に示すように、定着ローラ１０が回転開始するまで駆動トルクは発生しない。
【０１１２】
図３の（ａ）に示すように、定着ローラ１０にベルトユニット２を圧接して定着ローラ１０を回転開始すると、図１４に示すように、急激に定着ローラ１０のトルクが上昇する。
【０１１３】
このとき、定着ローラ１０の温度は上昇しているが、定着ローラ１０が回転していないためにベルトユニット２全体には熱供給を行っておらず、ベルトユニット２自体は温度が低い状態である。このため、摺動性を上げるためのシリコンオイルを塗布していた場合でもシリコンオイルの粘性が下がっておらず、定着ローラ１０の起動に大きなトルクを要する。
【０１１４】
ここで、ベルト内面に十分にオイルが行き渡っている状態であれば、比較例２の低摩擦シート２７Ｙでも、駆動トルクの上昇を定着ローラ１０の駆動を停止させない程度に低く抑えることができる。しかし、加圧ベルト２０の内側面に十分にシリコンオイルが行き渡っていない状態だと、比較例２の低摩擦シート２７では、定着ローラ１０の回転をストップさせてしまうレベルに駆動トルクが達することもある。
【０１１５】
一方、加圧ベルト２０の内側面にシリコンオイルが行き渡っていない状態でも、実施例１及び比較例１の低摩擦シート２７、２７Ｘであれば、加圧ベルト２０との接触面積が小さいため、加圧ベルト２０の摺動抵抗が小さい。このため、定着ローラ１０の駆動トルクは低く抑えられ、加圧ベルト２０の走行性は安定した状態に保たれる。
【０１１６】
比較例２の低摩擦シート２７Ｙの場合、加圧ベルト２０との接触面積が実施例１及び比較例１の低摩擦シート２７、２７Ｘに比べて大きくなる。その結果、定着装置の初期の立ち上げ過程で、加圧ベルト２０の摺動抵抗が上がり、定着ローラ１０の駆動トルクが高くなって加圧ベルト２０の走行安定性が損なわれる。あるいはシリコンオイルが行き渡っていない場所に差し掛かったときに定着ローラ１０の回転が突然ストップしてしまう。
【０１１７】
図３の（ａ）に示すように、定着ローラ１０にベルトユニット２を圧接して定着装置１を長時間回転させて定着ローラ１０の駆動トルク推移を検証した。定着装置１を長時間回転させることによる、低摩擦シート２７、２７Ｘ、２７Ｙの摩耗の影響を駆動トルクの推移によって検証した。  定着装置１の定着ローラ１０とベルトユニット２とを当接させ、定着ローラ１０の表面温度を１８０℃に制御した状態で回転させ続けて、経過時間と駆動トルクの推移を測定した。これにより、低摩擦シート２７、２７Ｘ、２７Ｙの耐久性実験を促進させた検証を行った。
【０１１８】
図１５に示すように、実施例１及び比較例２の低摩擦シート２７、２７Ｙを用いることによって、長時間に渡って駆動トルクを低く抑えることが可能である。一方、比較例１の低摩擦シート２７Ｘを用いた場合、回転スタートから約２８０時間までは、ある程度低い駆動トルクの推移を示しているが、その後、急激にトルクが上昇してしまう。
【０１１９】
このトルクの急上昇は、低摩擦シート２７Ｘの表面の低摩擦を担う表層（２７ｆ：図１０）が加圧ベルト２０との長時間の摺擦によって摩耗し、ポリイミドフィルムの基層（２７ｅ：図１０）が露出したためである。同時に加圧ベルト２０との接触面積が増えてしまったことも原因である。
【０１２０】
これに対して、実施例１の低摩擦シート２７は、第１高さの凸部２７Ｈの表層（２７ｆ：図１０）が摩耗して基層（２７ｅ：図１０）が露出する前に、第２高さの凸部２７Ｌの表層（２７ｆ：図１０）が加圧ベルト２０に接する。
【０１２１】
従って、加圧ベルト２０と低摩擦シート２７の摺動抵抗が急激に上昇する前に、第１高さの凸部２７Ｈにかかる負荷を減らす。その結果として、基層（２７ｅ：図１０）が一斉に露出するまでの時間を十分に延ばして低摩擦シート２７及び定着装置１の耐久性を向上させている。
【０１２２】
比較例２の低摩擦シート２７ｙでは、最初から加圧ベルト２０との接触点が多く、接触面積も大きいため、定着ローラ１０の駆動トルクは初期から高い。しかし、１つの凸部２７にかかる負荷が低く抑えられているため、表層２７ｆの摩耗速度が低く、接触面積の増加率が低く抑えられる。このため、駆動トルクの上昇率が低く、比較例１の低摩擦シート２７Ｙよりも耐久性が向上する。
【０１２３】
【表１】
2010164808.tif 000003
【０１２４】
表１に示すように、実施例１の低摩擦シート２７は、加圧ベルト２０と加圧パッド２６の摺動抵抗を減らしながら、摩耗による種々の弊害を伴わず、長時間に渡って使用することが可能である。
【０１２５】
以上説明したように、実施例１の低摩擦シート２７を用いることにより、定着装置１の初期及びそれ以降の立ち上げ時の駆動トルクを低く抑え、かつ耐久性を向上させることが可能になる。そして、長期にわたって安定的に加圧ベルト２０を走行させることが可能になる。
【０１２６】
＜実施例２＞
図１６は実施例２の低摩擦シートにおける凸部の配置の説明図である。
【０１２７】
第１高さの凸部２７Ｈと第２高さの凸部２７Ｌとを混在させる配置パターンは、実施例１のパターン以外でも、実施例１の低摩擦シート２７と同様の効果が得られる。
【０１２８】
図１６に示すように、実施例２の低摩擦シート２７Ｐは、表面に形成された多数の凸部が、第１高さの凸部２７Ｈと第２高さの凸部２７Ｌとを混在させている。
【０１２９】
実施例２の低摩擦シート２７Ｐを用いる場合も、定着装置１の立ち上げ時の定着ローラ１０の駆動トルクを低く抑え、かつ耐久性を向上させることが可能になる。
【０１３０】
＜実施例３＞
図１７は実施例３の低摩擦シートにおける凸部の配置の説明図である。
【０１３１】
図１７に示すように、実施例３の低摩擦シート２７Ｑは、表面に形成された多数の凸部が、第１高さの凸部２７Ｈと第２高さの凸部２７Ｌとを混在させている。
【０１３２】
実施例３の低摩擦シート２７Ｑを用いる場合も、定着装置１の立ち上げ時の定着ローラ１０の駆動トルクを低く抑え、かつ耐久性を向上させることが可能になる。
【０１３３】
＜実施例４＞
無端状のベルト部材を用いて記録材の搬送方向に長い定着ニップを形成するベルトニップ方式の画像加熱装置は、図２の定着装置１には限定されない。
【０１３４】
特開２００４−３４１３４６号公報には、２本の支持回転体に掛け渡して支持された定着ベルトと、２本の支持回転体に掛け渡して支持された加圧ベルトとを接離可能に配置した定着装置が提案されている。
【０１３５】
実施例４では、このような画像加熱装置において、定着ベルトの内側面に配置された加圧パッドに実施例１の低摩擦シート２７を装着する。また、加圧ベルトの内側面に配置された加圧パッドにも、実施例１の低摩擦シート２７を装着する。
【０１３６】
これにより、定着ベルト及び加圧ベルトに対する摺動抵抗を長期間に渡って低減し、急激な摺動抵抗の増加に伴う弊害、記録材のジャム、駆動モータのロック、画像不良、記録材の搬送障害等を防止できる。
【図面の簡単な説明】
【０１３７】
【図１】画像形成装置の構成の説明図である。
【図２】定着装置の構成の説明図である。
【図３】加圧ベルトの加圧機構の説明図である。
【図４】加圧機構周辺の拡大図である。
【図５】定着ニップの記録材搬送方向における圧力分布の説明図である。
【図６】定着装置の起動時の温度推移の説明図である。
【図７】低摩擦シートの構成の説明図である。
【図８】実施例１の低摩擦シートの凸部の配置の説明図である。
【図９】凸部の高さ分布の説明図である。
【図１０】凸部の構成の説明図である。
【図１１】低摩擦シートの製造方法の説明図である。
【図１２】比較例１の低摩擦シートにおける凸部の配置の説明図である。
【図１３】比較例２の低摩擦シートにおける凸部の配置の説明図である。
【図１４】定着装置の立ち上げ過程における回転トルクの比較の説明図である。
【図１５】耐久寿命における立ち上げ過程の回転トルクの変化の説明図である。
【図１６】実施例２の低摩擦シートにおける凸部の配置の説明図である。
【図１７】実施例３の低摩擦シートにおける凸部の配置の説明図である。
【符号の説明】
【０１３８】
１０  定着ローラ
２０  加圧ベルト
２１  入口ローラ
２２  分離ローラ
２５  加圧ベース
２６  加圧パッド
２７  低摩擦シート
２７Ｈ、２７Ｌ  凸部
２８  オイル塗布ローラ
１００  加圧機構
１１３  ハロゲンランプヒータ
１１４  サーミスタ
【図１】
2010164808.tif 000004
【図２】
2010164808.tif 000005
【図３】
2010164808.tif 000006
【図４】
2010164808.tif 000007
【図５】
2010164808.tif 000008
【図６】
2010164808.tif 000009
【図７】
2010164808.tif 000010
【図８】
2010164808.tif 000011
【図９】
2010164808.tif 000012
【図１０】
2010164808.tif 000013
【図１１】
2010164808.tif 000014
【図１２】
2010164808.tif 000015
【図１３】
2010164808.tif 000016
【図１４】
2010164808.tif 000017
【図１５】
2010164808.tif 000018
【図１６】
2010164808.tif 000019
【図１７】
2010164808.tif 000020